(57)【特許請求の範囲】
【請求項１】
口部と、首部と、胴部と、底部とを備え、口部にはキャップが装着されたプラスチックボトルにおいて、
底部は、中央に位置する中央部と、中央部から周縁部に放射状に延びる複数のペタロイド脚と、隣接する各ペタロイド脚間に形成された谷部とを有するペタロイド形状をもち、  中央部は、環状面と、環状面から内方に引っ込む凹部とを有し、
ボトル内部に炭酸飲料からなる内容液が０℃〜１０℃の充填温度で充填され、
凹部の底部とペタロイド脚の接地部との距離をｔ１、凹部の底部と環状面との距離をｔ２、凹部の直径をｔ３、胴部の最大直径をｔ４とした場合、ｔ２／ｔ１が０．３０かつｔ３／ｔ４が０．２５となり、ｔ４は、６０ｍｍ乃至１００ｍｍであり、ｔ３は、１５ｍｍ乃至２５ｍｍであり、
ペタロイド脚の接地部における厚みが、０．０３ｍｍ〜０．３５ｍｍであることを特徴とするプラスチックボトル。
【請求項２】
底部は、５本〜９本のペタロイド脚を有することを特徴とする請求項１記載のプラスチックボトル。
【請求項３】
凹部は、底面から見て円形状からなることを特徴とする請求項１または２記載のプラスチックボトル。
【請求項４】
凹部は、垂直端面から見てドーム形状からなることを特徴とする請求項１乃至３のいずれか一項記載のプラスチックボトル。
【発明の詳細な説明】
【技術分野】
【０００１】
本発明は、口部と、首部と、胴部と、底部とを備えたプラスチックボトルに関する。
【背景技術】
【０００２】
従来、プラスチックボトルの充填方法としては、アセプティック充填方法（常温無菌充填方法）とホット充填方法（高温充填方法）とが存在する。
【０００３】
このうちアセプティック充填方法は、無菌環境下でプラスチックボトル内を薬剤で滅菌し、次に滅菌されたプラスチックボトル内に常温で清涼飲料を充填する手法である。このようなアセプティック充填方法を用いる場合、プラスチックボトルはその製造工程で高温に晒されることがないため、一般に耐熱性が低いものを用いる事も可能である。
【０００４】
また、気体は低温であるほど液体に溶解し易いため、炭酸飲料については、上記２種類の充填方法と異なり、無菌雰囲気下にて低温で充填する方法（アセプティック充填方法の一部変更、以下、単に「無菌炭酸充填方法」と定義する）と、低温にて充填密栓後、温水シャワーでボトルを殺菌する方法（ホット充填方法の一部変更、以下、単に「ホット炭酸充填方法」と定義する）とが存在する。
【先行技術文献】
【特許文献】
【０００５】
【特許文献１】特開２００９−２９８４８３号公報
【発明の概要】
【発明が解決しようとする課題】
【０００６】
ところで近年、ボトルに使用されるプラスチック材料の使用量を減らし、プラスチックボトルを更に軽量化することが望まれている。しかしながら、軽量化したプラスチックボトルに炭酸飲料（主に二酸化炭素を溶解させた飲料）を充填する場合、充填直後の内圧上昇と充填方法によっては熱水シャワーによる熱によって、ボトルの底部が反転してしまうおそれがある（バックリングという）。
【０００７】
本発明はこのような点を考慮してなされたものであり、炭酸飲料からなる内容液を充填し、充填直後にボトル内圧が上昇した場合であっても、底部の反転（バックリング）を防止することが可能な、プラスチックボトルを提供することを目的とする。
【課題を解決するための手段】
【０００８】
本発明は、口部と、首部と、胴部と、底部とを備え、口部にはキャップが装着されたプラスチックボトルにおいて、底部は、中央に位置する中央部と、中央部から周縁部に放射状に延びる複数のペタロイド脚と、隣接する各ペタロイド脚間に形成された谷部とを有するペタロイド形状をもち、  中央部は、環状面と、環状面から内方に引っ込む凹部とを有し、ボトル内部に炭酸飲料からなる内容液が０℃〜１０℃の充填温度で充填され、凹部の底部とペタロイド脚の接地部との距離をｔ１、凹部の底部と環状面との距離をｔ２、凹部の直径をｔ３、胴部の最大直径をｔ４とした場合、ｔ２／ｔ１が０．３０かつｔ３／ｔ４が０．２５となり、ｔ４は、６０ｍｍ乃至１００ｍｍであり、ｔ３は、１５ｍｍ乃至２５ｍｍであり、ペタロイド脚の接地部における厚みが、０．０３ｍｍ〜０．３５ｍｍであることを特徴とするプラスチックボトルである。
【０００９】
本発明は、底部は、５本〜９本のペタロイド脚を有することを特徴とするプラスチックボトルである。
【００１０】
本発明は、凹部は、底面から見て円形状からなることを特徴とするプラスチックボトルである。
【００１１】
本発明は、凹部は、垂直端面から見てドーム形状からなることを特徴とするプラスチックボトルである。
【発明の効果】
【００１５】
本発明によれば、底部は、中央に位置する中央部と、中央部から周縁部に放射状に延びる複数のペタロイド脚とを有するペタロイド形状をもち、中央部は、環状面と、環状面から内方に引っ込む凹部とを有する。このことにより、ボトル内部を陽圧とした場合であっても、底部の変形を少なくすることができ、底部の反転（バックリング）を防止することができる。
【００１６】
また、ボトルの軽量化を進めていった場合、ペタロイド底は、丸底より凹凸が激しい為、脚先が薄肉化し、荷重が掛かった際にペタロイド脚の脚先が潰れやすくなってしまう。この場合、ボトルが水平状態を保てなくなり、荷崩れを引き起こしてしまう。本発明によれば、底部の中央部に凹部を設けたことにより、底中心部の未延伸部を減らし応力緩和させる他、底中心部に樹脂が溜まらなくなるので、その分ペタロイド脚の脚先に樹脂が溜まるようになる。これにより、ペタロイド脚の脚先が潰れる不具合を防止することができる。
【図面の簡単な説明】
【００１７】
【図１】図１は、本発明の一実施の形態による充填した状態でのプラスチックボトルを示す正面図。
【図２】図２は、本発明の一実施の形態による空の状態でのプラスチックボトルを示す垂直端面図（図１のＡ−Ａ線断面図）。
【図３】図３は、本発明の一実施の形態による空の状態でのプラスチックボトルを示す上面図。
【図４】図４は、本発明の一実施の形態による空の状態でのプラスチックボトルを示す底面図。
【図５】図５は、本発明の一実施の形態による空の状態でのプラスチックボトルの底部を示す拡大端面図。
【図６】図６（ａ）〜（ｃ）は、本発明の一実施の形態による充填した状態でのプラスチックボトルの底部を示す拡大端面図。
【図７】図７は、比較例による空の状態でのプラスチックボトルを示す垂直端面図。
【発明を実施するための形態】
【００１８】
以下、図面を参照して本発明の実施の形態について説明する。図１乃至図６は本発明の一実施の形態を示す図である。
【００１９】
まず、図１乃至図６により本実施の形態によるプラスチックボトルの概要について説明する。なお、本明細書中、「上方」、「下方」とは、それぞれプラスチックボトル１０を正立させた状態（図１および図２）における上方、下方のことをいう。
【００２０】
図１乃至図４に示すように、プラスチックボトル１０は、口部１１と、口部１１に連接する首部１２と、首部１２に連接する肩部１３と、肩部１３に連接する胴部２０と、胴部２０に連接する底部３０とを備えている。
【００２１】
このうち胴部２０は略円筒形状からなり、その表面は略平坦に構成されている。また、図１に示すように、プラスチックボトル１０内部には、炭酸飲料からなる内容液１５が充填されている。さらに、口部１１にはキャップ１７が装着されている。
【００２２】
図２および図４に示すように、底部３０はペタロイド形状をもっている。すなわち底部３０は、中央に位置する中央部３１と、中央部３１から底部３０の周縁部３０ｂに向けて放射状に延びる複数（この場合は５本）のペタロイド脚３２とを有している。
【００２３】
図４に示すように、５本のペタロイド脚３２は、底部３０の周縁部３０ｂに沿って周方向に等間隔に配置されている。ペタロイド脚３２は、プラスチックボトル１０を安定して正立させるためには５本以上設けることが好ましいが、成形性の観点等から、その上限は９本程度とすることが好ましい。また、バックリングを効果的に防止するために、ペタロイド脚３２の本数を奇数本とすることが好ましく、とりわけ５本とすることが更に好ましい。
【００２４】
また図２および図４に示すように、各ペタロイド脚３２は、各々円周状に延びる接地部３２ａと、接地部３２ａから中央部３１側に向けて上方に延びる内側傾斜面３２ｂと、接地部３２ａから周縁部３０ｂ側に向けて上方に延びる外側傾斜面３２ｃとを有している。
【００２５】
一方、隣接する各ペタロイド脚３２間には、谷部３３が形成されている。各谷部３３は、中央部３１から周縁部３０ｂに向かって上方へ延びる湾曲面からなっている。各谷部３３は、中央部３１から周縁部３０ｂに向かう断面において、下方へ向けて湾曲する球面の一部を構成している（図２参照）。この場合、各谷部３３は、ドーム状曲面の一部からなっていても良い。
【００２６】
本実施の形態において、中央部３１は、円形の環状面３４と、この環状面３４から内方（上方）に引っ込む凹部３５とを有している。凹部３５の形状は、底部３０の耐圧性を高めるという観点から、底面から見て円形状であることが好ましい。更に、成形性を高めるという観点からは、凹部３５の垂直端面形状（図２）がドーム形状であることが好ましい。
【００２７】
図２および図５に示すように、凹部３５は、全体的に滑らかな曲面からなっており、凹部３５内にて底中心部の中心に凸部を設けず滑らかな曲面になっている。このことにより、ボトル内部を陽圧とした場合に、凹部３５が反転し難い構造となっている。
【００２８】
このほか、凹部３５の形状としては、円筒形状であっても良く、あるいは円筒に半球を連結した形状からなっていても良い。
【００２９】
このようなプラスチックボトル１０のサイズは限定されるものではなく、どのようなサイズのボトルからなっていても良い。例えばプラスチックボトル１０の容量が５００ｍｌである場合、胴部２０の直径ｔ４（図４および図５参照）を６０ｍｍ乃至７０ｍｍとすることができる。また、プラスチックボトル１０の容量が１０００ｍｌの場合は、胴部２０の直径ｔ４を７０ｍｍ乃至９０ｍｍとし、１５００ｍｌの場合は、胴部２０の直径ｔ４を８０ｍｍ乃至１００ｍｍとすることができる。
【００３０】
図５において、凹部３５の底部３５ａとペタロイド脚３２の接地部３２ａとの距離をｔ１とし、凹部３５の底部３５ａと環状面３４との距離をｔ２とした場合、０．２０＜ｔ２／ｔ１＜０．５０となることが好ましい（上述したホット炭酸充填方法を用いる場合）。なお、ｔ２／ｔ１≧０．５０となる場合、底部３０の凹凸が大きくなるため、ブロー成形時にペタロイド脚３２の接地部３２ａに、過延伸による白化（薄肉化）が発生するおそれがある。他方、ｔ２／ｔ１≦０．２０となる場合、凹部３５の深さが浅いため、底部３０のバックリングを防止する効果が得られにくい。
【００３１】
また図５において、凹部３５の直径をｔ３とし、胴部２０の最大直径をｔ４とした場合、０．２０＜ｔ３／ｔ４＜０．３０となることが好ましい（図６（ａ）参照）（上述したホット炭酸充填方法を用いる場合）。なお、ｔ３／ｔ４≧０．３０となる場合、凹部３５の曲率半径Ｒ１が大きくなる為底部３０のバックリングを防止する効果が得られにくい（図６（ｂ）参照）。更にペタロイド脚３２の内側傾斜面３２ｂが急になる為、ペタロイド脚３２で成形不良による過延伸により白化（薄肉化）が発生するおそれがある。他方、ｔ３／ｔ４≦０．２０となる場合、凹部の直径ｔ３が短い為、底部３０のバックリングを防止する効果が得られにくい（図６（ｃ）参照）。このため、０．２０＜ｔ２／ｔ１＜０．５０かつ０．２０＜ｔ３／ｔ４＜０．３０とすることが好ましい。
【００３２】
なお、ホット炭酸充填方法ではなく、無菌炭酸充填方法を用いる場合、０．１５＜ｔ２／ｔ１＜０．５０、かつ０．１８＜ｔ３／ｔ４＜０．３２とすることが好ましい。この範囲とすることが好ましい理由は、上述したホット炭酸充填方法における理由と同様である。
【００３３】
なおプラスチックボトル１０のペタロイド脚３２の接地部３２ａの肉厚は、０．０３ｍｍ〜０．３５ｍｍとすることが可能である。このようにプラスチックボトル１０の肉厚を薄くすることにより、プラスチックボトル１０の軽量化を図ることができる。
【００３４】
プラスチックボトル１０は、合成樹脂材料を射出成形して製作したプリフォームを二軸延伸ブロー成形することにより作製することができる。なおプリフォームすなわちプラスチックボトル１０の主材料としては熱可塑性樹脂、特にＰＥ（ポリエチレン）、ＰＰ（ポリプロピレン）、ＰＥＴ（ポリエチレンテレフタレート）、ＰＥＮ（ポリエチレンナフタレート）、ＰＬＡ（ポリ乳酸）等を使用する事が好ましい。
【００３５】
次にこのような構成からなる本実施の形態の作用について説明する。
【００３６】
まず、空のプラスチックボトル１０を準備し、このプラスチックボトル１０内に炭酸飲料からなる内容液１５を、例えば０℃〜１０℃、好ましくは５℃前後の温度で充填する。なお、炭酸飲料からなる内容液１５としては、例えばサイダー、果汁入り炭酸飲料等を挙げることができる。
【００３７】
続いて、口部１１をキャップ１７により閉栓する。その後、パストライザーと呼ばれる熱水シャワーを用いてプラスチックボトル１０を殺菌する。なお、ホット炭酸充填方法を用いる場合、熱水シャワーの温度は５０℃〜１４０℃である事が好ましい。閉栓直後、プラスチックボトル１０の内部は陽圧となる。
【００３８】
なお、上記においては、通常の（無菌ではない）雰囲気下でプラスチックボトル１０に対して内容液１５を充填しているが、これに限らず、無菌雰囲気下でプラスチックボトル１０に対して内容液１５を充填しても良い（無菌炭酸充填方法）。この場合、熱水シャワーによる殺菌は行わなくても良い。
【００３９】
このようにプラスチックボトル１０内部が陽圧となることにより、プラスチックボトル１０の内方（上方）から外方（下方）へ力が作用し、底部３０においては、概ね内方から外方へ向けて圧力が加わる。この場合、底部３０の中央部３１が外方へ向けて膨らむように作用する。
【００４０】
本実施の形態においては、底部３０の中央部３１に、環状面３４から内方に引っ込む凹部３５を設けている。このことにより、閉栓したプラスチックボトル１０の内部が陽圧となり、プラスチックボトル１０の内方から外方へ力が作用した場合であっても、底部３０の変形を抑えることができ、底部３０のバックリングを防止することができる。
【００４１】
このように本実施の形態によれば、底部３０の中央部３１に、環状面３４から内方に引っ込む凹部３５を設けたので、閉栓したプラスチックボトル１０の内部が陽圧となった際、底部３０の変形を少なくすることができ、底部３０のバックリングを防止することができる。
【００４２】
また本実施の形態によれば、底部３０のバックリングを防止することができるので、プラスチックボトル１０を薄肉に形成することが可能となり、プラスチックボトル１０を軽量化することができ、プラスチック材料の使用量を減らすことができる。
【実施例】
【００４３】
次に、本実施の形態における具体的実施例について説明する。
【００４４】
（ブロー成形性および耐熱耐圧性の評価）
以下に挙げる６種類のプラスチックボトル（実施例１および比較例１〜５）について、それぞれブロー成形性および耐熱耐圧性について評価した。
【００４５】
（実施例１）
図１乃至図５に示す構成からなる、５００ｍｌ用のプラスチックボトル１０（実施例１）を作製した。この場合、１８ｇのプリフォームを二軸延伸ブロー成形することにより、プラスチックボトル１０（実施例１）を作製した。実施例１において、凹部３５の底部３５ａと環状面３４との距離ｔ２の、凹部３５の底部３５ａとペタロイド脚３２の接地部３２ａとの距離ｔ１に対する比（ｔ２／ｔ１）は、０．３０であった。また凹部３５の直径ｔ３の、胴部２０の最大直径ｔ４に対する比（ｔ３／ｔ４）は、０．２５であった。このプラスチックボトル１０（実施例１）は、従来一般に用いられるプラスチックボトルよりも薄肉化されたものである。
【００４６】
（比較例１）
距離ｔ２の距離ｔ１に対する比（ｔ２／ｔ１）を０．２０としたこと、以外は、実施例１と同様にして、実施例１と同じ重量および肉厚を有する５００ｍｌ用のプラスチックボトル１０（比較例１）を作製した。
【００４７】
（比較例２）
距離ｔ２の距離ｔ１に対する比（ｔ２／ｔ１）を０．５０としたこと、以外は、実施例１と同様にして、実施例１と同じ重量および肉厚を有する５００ｍｌ用のプラスチックボトル１０（比較例２）を作製した。
【００４８】
（比較例３）
距離ｔ３の距離ｔ４に対する比（ｔ３／ｔ４）を０．２０としたこと、以外は、実施例１と同様にして、実施例１と同じ重量および肉厚を有する５００ｍｌ用のプラスチックボトル１０（比較例３）を作製した。
【００４９】
（比較例４）
距離ｔ３の距離ｔ４に対する比（ｔ３／ｔ４）を０．３０としたこと、以外は、実施例１と同様にして、実施例１と同じ重量および肉厚を有する５００ｍｌ用のプラスチックボトル１０（比較例４）を作製した。
【００５０】
（比較例５）
図７に示す構成からなる、５００ｍｌ用のプラスチックボトル５０（比較例５）を作製した。この場合、２８ｇのプリフォームを二軸延伸ブロー成形することにより、プラスチックボトル５０（比較例５）を作製した。
【００５１】
これら６種類のプラスチックボトル（実施例１および比較例１〜５）のうち、比較例２、４に係るプラスチックボトルは、ブロー成形時にペタロイド脚先の成形不良（過延伸による白化）が発生した。それ以外の実施例１、比較例１、３、５に係るプラスチックボトルは、良好なブロー成形性を有していた。
【００５２】
次に、比較例２、４を除いた４種類のプラスチックボトル（実施例１および比較例１、３、５）内に５℃のサイダーを充填して閉栓した。その後、各プラスチックボトルの口部にキャップを装着することにより、閉栓したプラスチックボトルを得た。更に、各プラスチックボトルを７０℃の温水シャワーで１５分間殺菌した（ホット炭酸充填方法）。
【００５３】
次に、各プラスチックボトルについて、冷却後、常温となったときの中央部の深さ（距離ｔ１´）を測定した（表１参照）。
【００５４】
【表１】
0006035701.tif 000002
【００５５】
この結果、実施例１のプラスチックボトル１０は、正立し（ｔ１´＞０ｍｍ）、かつブロー成形性は良好であり、２８ｇの重量を有するプラスチックボトル５０（比較例５）と同等程度の性能を有していた。一方、比較例１、３のプラスチックボトルは、転倒しやすくなってしまった（ｔ１´＜０ｍｍ）。
【００５６】
結果として、温水シャワーによる殺菌を行う場合には（ホット炭酸充填方法）、０．２０＜ｔ２／ｔ１＜０．５０、かつ０．２０＜ｔ３／ｔ４＜０．３０とすることが好ましいといえる。
【００５７】
次に、無菌雰囲気下にて低温で充填する場合（無菌炭酸充填方法）における耐圧性を評価するため、上述した６種類のプラスチックボトル（実施例１および比較例１〜５）に加え、以下のプラスチックボトル（比較例６〜８）を作製した。
【００５８】
（比較例６）
距離ｔ３の距離ｔ４に対する比（ｔ２／ｔ１）を０．１５としたこと、以外は、実施例１と同様にして、実施例１と同じ重量および肉厚を有する５００ｍｌ用のプラスチックボトル１０（比較例６）を作製した。
【００５９】
（比較例７）
距離ｔ３の距離ｔ４に対する比（ｔ３／ｔ４）を０．１８としたこと、以外は、実施例１と同様にして、実施例１と同じ重量および肉厚を有する５００ｍｌ用のプラスチックボトル１０（比較例７）を作製した。
【００６０】
（比較例８）
距離ｔ３の距離ｔ４に対する比（ｔ３／ｔ４）を０．３２としたこと、以外は、実施例１と同様にして、実施例１と同じ重量および肉厚を有する５００ｍｌ用のプラスチックボトル１０（比較例７）を作製した。
【００６１】
次に、比較例２、４を除いた７種類のプラスチックボトル（実施例１および比較例１、３、５〜８）内に無菌雰囲気下で５℃のサイダーを充填して閉栓した（無菌炭酸充填方法）。
【００６２】
次に、各プラスチックボトルについて、中央部の深さ（距離ｔ１´´）を測定した（表２参照）。
【００６３】
【表２】
0006035701.tif 000003
【００６４】
結果として、無菌雰囲気下にて低温で充填する場合には（無菌炭酸充填方法）、０．１５＜ｔ２／ｔ１＜０．５０、かつ０．１８＜ｔ３／ｔ４＜０．３２とすることが好ましいといえる。
【符号の説明】
【００６５】
１０        プラスチックボトル
１１        口部
１２        首部
１３        肩部
１５        内容液
１６        ヘッドスペース
１７        キャップ
２０        胴部
３０        底部
３１        中央部
３２        ペタロイド脚
３３        谷部
３４        環状面
３５        凹部
【図１】
0006035701.tif 000004
【図２】
0006035701.tif 000005
【図３】
0006035701.tif 000006
【図４】
0006035701.tif 000007
【図５】
0006035701.tif 000008
【図６】
0006035701.tif 000009
【図７】
0006035701.tif 000010